【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
作動流体が循環する作動流体回路（１０）を備え、該作動流体の液相と気相との相変化によって対象機器（ＢＰ）の温度を調整する機器温調装置であって、
前記作動流体回路に含まれ、前記対象機器から前記作動流体に吸熱させることにより該作動流体を蒸発させる機器用熱交換器（１２）と、
前記作動流体回路に含まれ、前記機器用熱交換器よりも上方に配置され、蒸発した前記作動流体から放熱させることにより該作動流体を凝縮させる凝縮器（１５）と、
前記作動流体回路に含まれ、前記機器用熱交換器にて蒸発した前記作動流体を該機器用熱交換器から前記凝縮器へ流すガス通路（１６１）が形成されたガス通路部（１６）と、
前記作動流体回路に含まれ、前記凝縮器にて凝縮した前記作動流体を該凝縮器から前記機器用熱交換器へ流す液通路（１８１）が形成された液通路部（１８）と、
前記液通路に配置され該液通路の開度を増減する開度増減部（２２１）、および、該開度増減部が前記液通路を閉塞した場合に前記作動流体回路のうち気相の前記作動流体に晒される箇所に配置された感温部（２２５）を有する開度調整装置（２２）と、
前記作動流体回路に含まれ、前記液通路のうち前記開度増減部よりも作動流体流れ下流側と前記ガス通路とを連通させる連通路（２０１）が形成された連通部（２０）とを備え、
前記感温部は、温度に応じた物理変化を示す物性を有する感温物（２２３、２２９）を有し、該感温物を用いて、前記感温部の周囲温度が高いほど前記開度を大きくするように前記開度増減部を作動させ、
前記ガス通路と前記連通路との合流部分（１６２）、および、前記液通路と前記連通路との合流部分（１８２）は、前記開度増減部が前記液通路を閉塞した場合に前記作動流体回路内に生じる前記作動流体の液面（ＳＦ）よりも上方に配置される、機器温調装置。
【請求項２】
第１凝縮器としての前記凝縮器に加え、第２凝縮器（２４４）を備え、
該第２凝縮器は、前記作動流体回路に含まれ、前記機器用熱交換器よりも上方に配置され、蒸発した前記作動流体から放熱させることにより該作動流体を凝縮させ、前記連通路に設けられる、請求項１に記載の機器温調装置。
【請求項３】
前記機器用熱交換器から前記ガス通路と前記連通路との前記合流部分へ流れる気相の前記作動流体が、前記液通路の開度が最大開度とされた場合において、前記連通路へ流れるよりも、前記ガス通路のうち該合流部分に対する作動流体流れ下流側へ流れやすくなるように、前記連通路は形成されている、請求項１または２に記載の機器温調装置。
【請求項４】
前記連通路が、前記液通路と前記連通路との前記合流部分から、水平方向、または水平方向よりも上向きになる方向へ延設される、請求項１ないし３のいずれか１つに記載の機器温調装置。
【請求項５】
前記感温部は、前記液通路のうち、前記開度増減部よりも作動流体流れ下流側に配置される、請求項１ないし４のいずれか１つに記載の機器温調装置。
【請求項６】
前記開度調整装置は、前記感温部を覆う感温部カバー（２２６）を有し、
該感温部カバーは、前記感温部に対する作動流体流れ上流側から作動流体流れ下流側へ流れる液相の前記作動流体を前記感温部が被ることを抑制する、請求項５に記載の機器温調装置。
【請求項７】
作動流体が循環する作動流体回路（１０）を備え、該作動流体の液相と気相との相変化によって対象機器（ＢＰ）の温度を調整する機器温調装置であって、
前記作動流体回路に含まれ、前記対象機器から前記作動流体に吸熱させることにより該作動流体を蒸発させる機器用熱交換器（１２）と、
前記作動流体回路に含まれ、前記機器用熱交換器よりも上方に配置され、蒸発した前記作動流体から放熱させることにより該作動流体を凝縮させる凝縮器（１５）と、
前記作動流体回路に含まれ、前記機器用熱交換器にて蒸発した前記作動流体を該機器用熱交換器から前記凝縮器へ流すガス通路（１６１）が形成されたガス通路部（１６）と、
前記作動流体回路に含まれ、前記凝縮器にて凝縮した前記作動流体を該凝縮器から前記機器用熱交換器へ流す液通路（１８１）が形成された液通路部（１８）と、
前記液通路に配置され該液通路の開度を増減する開度増減部（２２１）、および、該開度増減部が前記液通路を閉塞した場合に前記作動流体回路のうち気相の前記作動流体に晒される箇所に配置された感温部（２２５）を有する開度調整装置（２２）とを備え、
前記感温部は、温度に応じた物理変化を示す物性を有する感温物（２２３、２２９）を有し、該感温物を用いて、前記感温部の周囲温度が高いほど前記開度を大きくするように前記開度増減部を作動させ、
前記感温部は、前記液通路のうち、前記開度増減部よりも作動流体流れ下流側に配置され、
前記開度調整装置は、前記感温部を覆う感温部カバー（２２６）を有し、
該感温部カバーは、前記感温部に対する作動流体流れ上流側から作動流体流れ下流側へ流れる液相の前記作動流体を前記感温部が被ることを抑制する、機器温調装置。
【請求項８】
前記感温部カバーは、該感温部カバーの外へ部分的に開放された開放部（２２６ｃ）を有している、請求項６または７に記載の機器温調装置。
【請求項９】
前記開放部は、前記液通路における作動流体流れ下流側を向いて開放された部位（２２６ｄ）を含む、請求項８に記載の機器温調装置。
【請求項１０】
前記開度増減部が前記液通路を閉塞した場合に、前記対象機器と熱交換可能な前記機器用熱交換器内の部位には液相の前記作動流体が存在する、請求項１ないし９のいずれか１つに記載の機器温調装置。
【請求項１１】
前記機器用熱交換器は、前記対象機器に対し熱伝導可能に連結され前記作動流体を前記対象機器の熱で蒸発させる熱交換部（４０）を有し、
前記開度増減部が前記液通路を閉塞した場合に、前記熱交換部内には液相の前記作動流体が存在する、請求項１ないし９のいずれか１つに記載の機器温調装置。
【請求項１２】
前記作動流体回路のうち前記機器用熱交換器以外の箇所（１８３）へ前記対象機器の熱を伝える伝熱部材（２３）を備え、
前記開度増減部が前記液通路を閉塞した場合に、前記機器用熱交換器以外の前記箇所には液相の前記作動流体が存在する、請求項１ないし９のいずれか１つに記載の機器温調装置。
【請求項１３】
前記感温物（２２３）は、高温になるほど体積を増す前記物性を有する熱膨張体であり、
前記感温部の周囲温度が高いほど前記熱膨張体の体積は大きくなり、
前記熱膨張体の体積が大きくなるほど前記開度増減部は前記開度を大きくする、請求項１ないし１２のいずれか１つに記載の機器温調装置。
【請求項１４】
前記機器用熱交換器は、前記ガス通路が接続される上方接続部（４４２）と、前記液通路が接続される下方接続部（４２２）とを有し、
前記下方接続部は、前記上方接続部よりも下方に配置される、請求項１ないし１３のいずれか１つに記載の機器温調装置。
【請求項１５】
前記対象機器は車載用の組電池である、請求項１ないし１４のいずれか１つに記載の機器温調装置。
【手続補正２】
【補正対象書類名】明細書
【補正対象項目名】０００９
【補正方法】変更
【補正の内容】
【０００９】
上記目的を達成するため、請求項１に記載の機器温調装置は、
作動流体が循環する作動流体回路（１０）を備え、その作動流体の液相と気相との相変化によって対象機器（ＢＰ）の温度を調整する機器温調装置であって、
作動流体回路に含まれ、対象機器から作動流体に吸熱させることによりその作動流体を蒸発させる機器用熱交換器（１２）と、
作動流体回路に含まれ、機器用熱交換器よりも上方に配置され、蒸発した作動流体から放熱させることによりその作動流体を凝縮させる凝縮器（１５）と、
作動流体回路に含まれ、機器用熱交換器にて蒸発した作動流体をその機器用熱交換器から凝縮器へ流すガス通路（１６１）が形成されたガス通路部（１６）と、
作動流体回路に含まれ、凝縮器にて凝縮した作動流体をその凝縮器から機器用熱交換器へ流す液通路（１８１）が形成された液通路部（１８）と、
液通路に配置されその液通路の開度を増減する開度増減部（２２１）、および、その開度増減部が液通路を閉塞した場合に作動流体回路のうち気相の作動流体に晒される箇所に配置された感温部（２２５）を有する開度調整装置（２２）と、
作動流体回路に含まれ、液通路のうち開度増減部よりも作動流体流れ下流側とガス通路とを連通させる連通路（２０１）が形成された連通部（２０）とを備え、
感温部は、温度に応じた物理変化を示す物性を有する感温物（２２３、２２９）を有し、その感温物を用いて、感温部の周囲温度が高いほど上記開度を大きくするように開度増減部を作動させ、
ガス通路と連通路との合流部分（１６２）、および、液通路と連通路との合流部分（１８２）は、開度増減部が液通路を閉塞した場合に作動流体回路内に生じる作動流体の液面（ＳＦ）よりも上方に配置される。